(57)【要約】【課題】完成度の高いインテリア用品として使用し得る安価な装飾用紙器を提供する。【解決手段】この装飾用紙器１０は、トムソン型を用いて成形された紙からなる。この装飾用紙器１０が屈曲されることにより、額装された絵画として完成する。装飾用紙器１０は、矩形状の基部１２を備える。この基部１２の周囲に第１周縁部１８及び第２周縁部１９が設けられる。第１周縁部１８及び第２周縁部１９の外側に、第３周縁部２２、第４周縁部２３、対向爪部２４、３５、連結爪部２５が設けられる。対向爪部２４、３５は、折り曲げられて互いに均等に当接する。第４周縁部２３に連結爪部２５が嵌合するスリット４７が設けられる。【選択図】図１
2020168351.tif 000002
【特許請求の範囲】
【請求項１】
表面及び裏面を有し、矩形平板状に形成された基部と、
当該基部の短手方向あるいは長手方向のいずれか一方に沿って対向する一対の辺にそれぞれ第１折目を介して延設された第１周縁部と、
上記基部の短手方向あるいは長手方向のいずれか他方に沿って対向する一対の辺にそれぞれ第２折目を介して延設された第２周縁部と、
上記第１周縁部あるいは第２周縁部のいずれか一方に第３折目を介して延設された第３周縁部と、
上記第１周縁部あるいは第２周縁部のいずれか他方に第４折目を介して延設された第４周縁部と、
上記第１周縁部及び第２周縁部の隣り合う辺にそれぞれ第５折目を介して延設された対向爪部と、
上記第３周縁部あるいは第４周縁部のいずれか一方に第６折目を介して延設された連結爪部と、
上記第３周縁部あるいは第４周縁部のいずれか他方に設けられ、上記連結爪部が嵌合保持される第１スリットとを備えた装飾用紙器。
【請求項２】
上記第１周縁部及び第２周縁部に延設された各対向爪部は、それぞれ三角形状を呈し、上記第５折目に沿う辺を一辺とし且つ斜辺同士が対向するように配置されている請求項１に記載の装飾用紙器。
【請求項３】
上記連結爪部は、延設向きに漸次先鋭する外形である請求項１又は２に記載の装飾用紙器。
【請求項４】
上記第６折目は上記短手方向及び長手方向に対して傾斜しており、当該第６折目に延設された連結爪部が嵌合する第１スリットは、当該第６折目の傾斜方向に沿って延びている請求項３に記載の装飾用紙器。
【請求項５】
上記第１周縁部及び第２周縁部の隣り合う辺が交差する点を中心とする所定領域について上記第１周縁部、第２周縁部及び対向爪部が切り欠かれている請求項１から４のいずれかに記載の装飾用紙器。
【請求項６】
上記第３周縁部又は第４周縁部の所定部位に貫通孔が形成されている請求項１から５のいずれかに記載の装飾用紙器。
【請求項７】
上記所定部位が切り起こされるための切り込みが上記貫通孔を囲繞するように形成されている請求項６に記載の装飾用紙器。
【請求項８】
上記第３周縁部あるいは第４周縁部のいずれか一方に第７折目を介して延設された第５周縁部と、
上記第３周縁部あるいは第４周縁部のいずれか他方に第８折目を介して延設された第６周縁部と、
上記第５周縁部あるいは第６周縁部のいずれか一方に延設された保持爪部と、
上記第５周縁部あるいは第６周縁部のいずれか他方に設けられ、上記保持爪部が嵌合保持される第２スリットとを備えた請求項１から７のいずれかに記載の装飾用紙器。
【請求項９】
上記第５周縁部又は第６周縁部に所定の大きさの貫通窓が形成されている請求項８に記載の装飾用紙器。
【請求項１０】
上記第５周縁部又は第６周縁部に上記短手方向又は長手方向に延びる第３スリットが形成されている請求項９に記載の装飾用紙器。
【請求項１１】
上記第５周縁部又は第６周縁部に第９折目を介して第７周縁部が延設され、当該第７周縁部は、上記裏面と接着可能な接着面を備えている請求項８から１０のいずれかに記載の装飾用紙器。
【請求項１２】
上記第１スリットは、上記第３周縁部あるいは第４周縁部のいずれか他方の端部に、上記第６折目の方向に沿って形成されている請求項１に記載の装飾用紙器。
【請求項１３】
表面及び裏面を有し、矩形平板状に形成された基部と、
当該基部の短手方向あるいは長手方向のいずれか一方に沿って対向する一対の辺にそれぞれ第１折目を介して延設された第１周縁部と、
上記基部の短手方向あるいは長手方向のいずれか他方に沿って対向する一対の辺にそれぞれ第２折目を介して延設された第２周縁部と、
上記第１周縁部あるいは第２周縁部のいずれか一方に第３折目を介して延設された第３周縁部と、
上記第１周縁部あるいは第２周縁部のいずれか他方に第４折目を介して延設された第４周縁部と、
上記第１周縁部及び第２周縁部の隣り合う辺にそれぞれ第５折目を介して延設された対向爪部と、
上記第３周縁部あるいは第４周縁部のいずれか一方に第７折目を介して延設された第５周縁部と、
上記第３周縁部あるいは第４周縁部のいずれか他方に第８折目を介して延設された第６周縁部と、
上記第５周縁部あるいは第６周縁部のいずれか一方に上記短手方向又は長手方向のいずれか一方に沿って延設された固定爪部と、
上記第５周縁部あるいは第６周縁部のいずれか他方に当該第５周縁部又は第６周縁部と隣り合う上記第３周縁部又は第４周縁部に渡って上記短手方向又は長手方向のいずれか他方に沿って形成され、上記固定爪部が上記短手方向又は長手方向のいずれか一方に沿って嵌合保持される固定スリットとを備えた装飾用紙器。
【請求項１４】
上記第５周縁部の端部に上記短手方向又は長手方向のいずれか一方に沿って延びる切込部が設けられており、当該切込部により上記固定爪部が形成されている請求項１３に記載の装飾用紙器。
【請求項１５】
上記固定スリットに連続して上記固定爪部が挿入される挿入口が設けられている請求項１３又は１４に記載の装飾用紙器。
【発明の詳細な説明】
【技術分野】
【０００１】
この発明は、構造物の壁面等に取り付けられ、装飾用として使用される紙器の構造に関するものである。
【背景技術】
【０００２】
近年、段ボールや厚紙を材料とするさまざまな紙器が提案されている（たとえば、特許文献１〜特許文献４参照）。かかる紙器は、さまざまな用途に応じて設計され、展示用パネルやトレイ等に使用されている。
【先行技術文献】
【特許文献】
【０００３】
【特許文献１】特開昭５２−１３９５７６号公報
【特許文献２】特開２００８−３０７６９号公報
【特許文献３】特開平８−２８２６５０号公報
【特許文献４】特開２００３−１１９５１号公報
【発明の概要】
【発明が解決しようとする課題】
【０００４】
住宅や店舗等の装飾のため、室内の壁に絵画や写真等が額に納められた状態で掛けられることがある。室内の装飾が常に華やかで飽きのこないものとするためには、たとえば定期的に絵画や写真が交換されるのが望ましい。ところが、一般に絵画や写真等は高価なものであるから、そのような定期的な交換はコスト的に困難である。
【０００５】
ところで、近年のオフセット印刷、シルクスクリーン印刷、箔押技術の進展は、上記紙器の表面に、額装された絵画や写真のような画像を表現することを可能としている。また、近年のデジタル技術の発展は、高度な画像処理やプリント処理を簡単に行うことを可能としており、たとえば風景を撮影した写真がデータ化され、そのまま写真として、あるいは絵画のように画像処理されて、上記紙器の表面等に容易にインクジェト印刷等がなされる。本願発明者は、従来の紙器に上記のような技術を適用することにより、額装された絵画や写真のようなインテリア用品を簡単且つ安価に提供できるのではないかと考えた。たとえば、折曲加工された段ボールによりトレイが構成され、このトレイの表面に画像が印刷されると、前述のような額装された絵画が製作される。
【０００６】
しかしながら、従来の紙器をそのまま装飾用の額に流用した場合、インテリア用品としての完成度が低くなる。具体的には、従来の紙器では、折り曲げられた部分に生じる段差や隙間が、たとえばキャンバスに描かれた絵画との比較において外観の悪さとして目立ってしまう。したがって、従来の紙器を装飾用の額に流用した場合には、安価であっても粗悪な商品となってしまう。
【０００７】
本発明はかかる背景のもとになされたものであって、その目的は、組み立てられた状態において看取される外面に外観を悪化させる隙間が形成されることを抑制し、その結果、額装された写真や絵画のようなインテリア用品として使用し得る安価な装飾用紙器を提供することである。
【課題を解決するための手段】
【０００８】
(1) 本発明に係る装飾用紙器は、表面及び裏面を有し、矩形平板状に形成された基部と、当該基部の短手方向あるいは長手方向のいずれか一方に沿って対向する一対の辺にそれぞれ第１折目を介して延設された第１周縁部と、上記基部の短手方向あるいは長手方向のいずれか他方に沿って対向する一対の辺にそれぞれ第２折目を介して延設された第２周縁部と、上記第１周縁部あるいは第２周縁部のいずれか一方に第３折目を介して延設された第３周縁部と、上記第１周縁部あるいは第２周縁部のいずれか他方に第４折目を介して延設された第４周縁部と、上記第１周縁部及び第２周縁部の隣り合う辺にそれぞれ第５折目を介して延設された対向爪部と、上記第３周縁部あるいは第４周縁部のいずれか一方に第６折目を介して延設された連結爪部と、上記第３周縁部あるいは第４周縁部のいずれか他方に設けられ、上記連結爪部が嵌合保持される第１スリットとを備えている。
【０００９】
この発明に係る装飾用紙器は、紙や段ボール等から構成され得るものであり、上記基部を有し、当該基部に対して上記第１乃至第４周縁部、対向爪部及び連結爪部が延設された平板状を呈する。この装飾用紙器は、次の要領にて屈曲され、室内の壁面に掛けられる額ないし室内装飾品として形成される。すなわち、第１折目及び第２折目においてそれぞれ第１周縁部及び第２周縁部が基部の裏面側に屈曲される。つまり、第１周縁部及び第２周縁部が基部に対して起立した状態となる。なお、本明細書では、上記裏面側への屈曲を「山折り」と称し、当該「山折り」と反対側への屈曲を「谷折り」と称す。次に、第２折目及び第３折目においてそれぞれ第３周縁部及び第４周縁部が基部の裏面と対向するように屈曲される。これにより、基部の裏面側に第１周縁部、第２周縁部、第３周縁部及び第４周縁部からなるフレームが構成される。
【００１０】
第１周縁部及び第２周縁部が屈曲されるとき、上記第５折目において上記対向爪部が山折りされる。すなわち、上記対向爪部が上記裏面側に突出するように屈曲され、対をなす対向爪部同士が向かい合わせとなる。これにより、当該対向爪部の山折りされた部位同士が対向することになるから、両者は隙間を形成することなく均等に当接する。さらに、上記第３周縁部及び第４周縁部が基部の裏面と対向することにより、上記連結爪部は、上記第３周縁部又は第４周縁部と隣り合う。この状態で、当該連結爪部は、上記第１スリットに嵌め込まれて、一定の保持力で保持される。したがって、第３周縁部及び第４周縁部は、当該一定の保持力で互いに位置決めされ、上記対向爪部同士は、上記均等な当接状態が維持される。加えて、上記連結爪部は、上記第６折目において屈曲可能であるから、上記連結爪部は、一旦第６折目で折り曲げられて第１スリットに簡単に嵌め込まれる。
【００１１】
(2) 上記第１周縁部及び第２周縁部に延設された対向爪部は、それぞれ三角形状を呈し、上記第５折目に沿う辺を一辺とし且つ斜辺同士が対向するように配置されているのが好ましい。
【００１２】
この構成では、屈曲された対向爪同士が対向して重なり合う。したがって、対向爪部の山折りされた部位同士がより均等に当接し、両者間に隙間が生じることがない。
【００１３】
(3) 上記連結爪部は、延設向きに漸次先鋭する外形であるのが好ましい。
【００１４】
この構成では、当該連結爪部を上記第１スリットに嵌め込む作業が円滑になり、上記対向爪部同士の均等な当接状態が確実に維持される。なお、仮に連結爪部を第１スリットに嵌め込む作業が困難である場合は、当該連結爪部が紙等から構成されるため、異形に折れ曲がってしまうおそれがあり、その場合、連結爪部が第１スリットに所定の保持力で保持されなくなり、その結果、上記対向爪部同士の均等な当接状態が維持されなくなるおそれがある。
【００１５】
(4) 上記第６折目は上記短手方向及び長手方向に対して傾斜しており、当該第６折目に延設された連結爪部が嵌合する第１スリットは、当該第６折目の傾斜方向に沿って延びているのが好ましい。
【００１６】
この構成では、第３周縁部及び第４周縁部の長手方向に対して斜めに上記連結爪部が嵌め合わされる。したがって、第３周縁部及び第４周縁部は上記一定の保持力で確実に位置決めされる。
【００１７】
(5) 上記第１周縁部及び第２周縁部の隣り合う辺が交差する点を中心とする所定領域について上記第１周縁部、第２周縁部及び対向爪部が切り欠かれているのが好ましい。
【００１８】
この構成では、上記第１周縁部、第２周縁部に無用の応力を生じさせずに、対向爪部の屈曲作業がより簡単且つ正確なものとなる。
【００１９】
(6) 上記第３周縁部又は第４周縁部の所定部位に貫通孔が形成されていてもよい。
【００２０】
この構成では、当該貫通孔に紐等が通されることにより、当該装飾用紙器は簡単に壁等に吊り下げられる。
【００２１】
(7) 上記所定部位が切り起こされるための切り込みが上記貫通孔を囲繞するように形成されていてもよい。
【００２２】
この構成では、第１周縁部、第２周縁部、第３周縁部及び第４周縁部が屈曲されることにより上記フレームが形成された状態で、上記第３周縁部又は第４周縁部の所定部位が切り起こされる。つまり、当該装飾用紙器を吊り下げるための吊下具が構成される。
【００２３】
(8) 上記第３周縁部あるいは第４周縁部のいずれか一方に第７折目を介して延設された第５周縁部と、上記第３周縁部あるいは第４周縁部のいずれか他方に第８折目を介して延設された第６周縁部と、上記第５周縁部あるいは第６周縁部のいずれか一方に延設された保持爪部と、上記第５周縁部あるいは第６周縁部のいずれか他方に設けられ、上記保持爪部が嵌合保持される第２スリットとを、さらに備えていてもよい。
【００２４】
この構成では、第７折目及び第８折目においてそれぞれ第５周縁部及び第６周縁部が上記基部の裏面側へ屈曲される。これにより、上記フレームの剛性が向上する。このとき、上記保持爪部が上記第２スリットに嵌め合わされ、所定の保持力で当該嵌合状態が維持される。したがって、上記フレームの高い剛性が維持され、第３周縁部及び第４周縁部がより確実に位置決めされ、上記対向爪部同士の均等な当接状態は、より確実に維持される。
【００２５】
(9) 上記第５周縁部又は第６周縁部に所定の大きさの貫通窓が形成されているのが好ましい。
【００２６】
この貫通窓が形成されることにより、第５周縁部及び第６周縁部の剛性が適度に低下する。これにより、当該装飾用紙器を屈曲させて組み立てる作業が容易になる。加えて、上記貫通窓を通じて上記第３周縁部又は第４周縁部の所定部位を切り起こす作業が容易になるという利点もある。
【００２７】
(10)上記第５周縁部又は第６周縁部に上記短手方向又は長手方向に延びる第３スリットが形成されていてもよい。
【００２８】
この第３スリットが形成されることにより、第５周縁部及び第６周縁部の剛性がより適度に低下する。これにより、当該装飾用紙器を屈曲させて組み立てる作業がなお一層容易になる。
【００２９】
(11)上記第５周縁部又は第６周縁部に第９折目を介して第７周縁部が延設され、当該第７周縁部は、上記裏面と接着可能な接着面を備えているのが好ましい。
【００３０】
この構成では、第９折目において第７周縁部が上記基部の裏面と対向し、当該裏面に上記接着面が接着する。これにより、上記フレームの剛性がより向上し、上記対向爪部同士の均等な当接状態は、より一層確実に維持される。
【００３１】
(12)上記第１スリットは、上記第３周縁部あるいは第４周縁部のいずれか他方の端部に、上記第６折目の方向に沿って形成されていてもよい。
【００３２】
この構成では、上記連結爪部は、上記第１スリットに接近し、特に屈曲や湾曲等の変形を要することなくそのまま当該第１スリット挿入される。したがって、上記連結爪部を上記第１スリットに嵌め込む作業が簡単である。
【００３３】
(13)本発明に係る装飾用紙器は、表面及び裏面を有し、矩形平板状に形成された基部と、当該基部の短手方向あるいは長手方向のいずれか一方に沿って対向する一対の辺にそれぞれ第１折目を介して延設された第１周縁部と、上記基部の短手方向あるいは長手方向のいずれか他方に沿って対向する一対の辺にそれぞれ第２折目を介して延設された第２周縁部と、上記第１周縁部あるいは第２周縁部のいずれか一方に第３折目を介して延設された第３周縁部と、上記第１周縁部あるいは第２周縁部のいずれか他方に第４折目を介して延設された第４周縁部と、上記第１周縁部及び第２周縁部の隣り合う辺にそれぞれ第５折目を介して延設された対向爪部と、上記第３周縁部あるいは第４周縁部のいずれか一方に第７折目を介して延設された第５周縁部と、上記第３周縁部あるいは第４周縁部のいずれか他方に第８折目を介して延設された第６周縁部とを有する。上記第５周縁部あるいは第６周縁部のいずれか一方に、上記短手方向又は長手方向のいずれか一方に沿って延設された固定爪部が形成されている。上記第５周縁部あるいは第６周縁部のいずれか他方に、上記固定爪部が上記短手方向又は長手方向のいずれか一方に沿って嵌合保持される固定スリットが形成されている。この固定スリットは、上記第５周縁部又は第６周縁部と隣り合う上記第３周縁部又は第４周縁部に渡って、上記短手方向又は長手方向のいずれか他方に沿って形成されている。
【００３４】
この発明に係る装飾用紙器は、紙や段ボール等から構成され得るものであり、上記基部を有し、当該基部に対して上記第１周縁部乃至第６周縁部及び上記固定爪部が延設された平板状を呈する。この装飾用紙器は、次の要領にて屈曲され、室内の壁面に掛けられる額ないし室内装飾品として形成される。すなわち、第１折目及び第２折目においてそれぞれ第１周縁部及び第２周縁部が基部の裏面側に屈曲される。つまり、第１周縁部及び第２周縁部が基部に対して起立した状態となる。次に、第２折目及び第３折目においてそれぞれ第３周縁部及び第４周縁部が基部の裏面と対向するように屈曲される。上記第１周縁部及び第２周縁部が屈曲されるとき、上記第５折目において上記対向爪部が山折りされる。すなわち、上記対向爪部が上記裏面側に突出するように屈曲され、対をなす対向爪部同士が向かい合わせとなる。これにより、当該対向爪部の山折りされた部位同士が対向することになるから、両者は隙間を形成することなく均等に当接する。
【００３５】
さらに、第７折目及び第８折目においてそれぞれ第５周縁部及び第６周縁部が上記基部の裏面側へ屈曲される。これにより、基部の裏面側に第１周縁部、第２周縁部、第３周縁部、第４周縁部、第５周縁部及び第６周縁部からなる矩形断面のフレームが構成される。このとき、上記固定スリットは、上記フレームの上面（上記第２周縁部又は第４周縁部）から当該上面と直交する内側面（上記第３周縁部又は第５周縁部）に渡って掛け渡された立体的形状を呈する。一方、上記固定爪部は、上記フレームが形成される際に、具体的には、上記第３折目又は第４折目沿って上記第３周縁部又は第４周縁部が屈曲された際に、上記固定スリットと対向する。この状態で上記第７折目又は第８折目にて上記第５周縁部又は第６周縁部が屈曲されることにより、上記固定爪部は、上記固定スリットに向かって移動し、容易に挿入され。この固定スリットは前述のような立体的形状を呈するので、固定爪部は、固定スリットに嵌め合わされて一定の保持力で保持される。したがって、第３周縁部及び第４周縁部は、当該一定の保持力で互いに位置決めされ、上記対向爪部同士は、上記均等な当接状態が維持される。
【００３６】
(14)上記第５周縁部の端部に上記短手方向又は長手方向のいずれか一方に沿って延びる切込部が設けられており、当該切込部により上記固定爪部が形成されているのが好ましい。
【００３７】
この構成では、固定爪部は、上記第５周縁部が切り込まれるのみ（たとえばトムソン型によるプレスカット）で、がきわめて簡単に形成される。
【００３８】
(15)上記固定スリットに連続して上記固定爪部が挿入される挿入口が設けられているのが好ましい。
【００３９】
この構成では、上記固定爪部が一層容易に固定スリットに挿入される。したがって、当該装飾用紙器の組立作業が一層簡単且つ円滑なものになる。
【発明の効果】
【００４０】
この発明によれば、折曲加工だけで矩形の基部の裏面側にフレーム構造を備えた額が組み立てられる。山折りされた対向爪部同士が当接し、且つ連結爪部が第１スリットに嵌合保持されることにより、当該額は、その剛性が確保され所定の形状が維持される。上記対向爪部同士が当接することにより、この額の隅部に大きな隙間が生じることがなく、インテリア用として完成度の高い額が製造される。その結果、基部の表面にたとえば写真や絵画が印刷等されることにより、インテリア用品としての額装された写真や絵画を簡単且つ安価に製造することができるという利点がある。
【図面の簡単な説明】
【００４１】
【図１】図１は、本発明の第１の実施形態に係る装飾用紙器１０の正面図である。
【図２】図２は、装飾用紙器１０の外観斜視図である。
【図３】図３は、装飾用紙器１０の外観斜視図である。
【図４】図４は、装飾用紙器１０の要部拡大図である。
【図５】図５は、装飾用紙器１０の組立要領を示す斜視図である。
【図６】図６は、装飾用紙器１０の組立要領を示す斜視図である。
【図７】図７は、装飾用紙器１０の組立要領を示す斜視図である。
【図８】図８は、本発明の第１の実施形態の変形例に係る装飾用紙器１０の要部拡大図である。
【図９】図９は、本発明の第２の実施形態に係る装飾用紙器７０の要部拡大図である。
【図１０】図１０は、本発明の第３の実施形態に係る装飾用紙器８０の要部拡大図である。
【図１１】図１１は、装飾用紙器８０の使用状態を示す斜視図である。
【図１２】図１２は、本発明の第４の実施形態に係る装飾用紙器９０の正面図である。
【図１３】図１３は、装飾用紙器９０の要部拡大図である。
【図１４】図１４は、装飾用紙器９０が組み立てられる過程の要部拡大斜視図である。
【図１５】図１５は、装飾用紙器９０が組み立てられる過程の正面図である。
【図１６】図１６は、本発明の第５の実施形態に係る装飾用紙器１１０の正面図である。
【図１７】図１７は、装飾用紙器１１０の要部拡大図である。
【図１８】図１８は、装飾用紙器１１０の組立要領を示す要部拡大斜視図である。
【図１９】図１９は、装飾用紙器１１０の組立要領を示す要部拡大斜視図である。
【図２０】図２０は、装飾用紙器１１０の組立要領を示す要部拡大斜視図である。
【発明を実施するための形態】
【００４２】
以下、本発明の好ましい実施形態が、適宜図面が参照されつつ説明される。なお、本実施の形態は、本発明に係る装飾用紙器の一態様にすぎず、本発明の要旨を変更しない範囲で実施態様が変更されてもよいことは言うまでもない。
【００４３】
＜第１の実施形態＞
【００４４】
１．装飾用紙器の構成
【００４５】
図１は、本発明の第１の実施形態に係る装飾用紙器１０の正面図である。図２及び図３は、この装飾用紙器１０が所定の立体構造となるように後述の要領で折り曲げられ、インテリア用品（本実施形態では額装された絵画）として組み立てられた状態の外観斜視図である。図２は、装飾用紙器１０の裏面側を示し、図３は表面側を示している。
【００４６】
この装飾用紙器１０は、いわゆる紙からなり、具体的な材料として厚紙、特殊紙、段ボール等のさまざまな紙が採用され得る。図１では、装飾用紙器１０は平板状を呈する。この装飾用紙器１０の表面１１（図３参照）に、図示されていない絵画が印刷されている。この絵画は、オフセット印刷やシルクスクリーン印刷により描かれ、あるいは、たとえば風景写真が画像処理され、インクジェットプリンタによって上記表面１１に絵画風に印刷されている。もっとも、表面に絵画以外の画像、写真が印刷されてもよいし、白紙の状態であってもよい。印刷の仕様により、装飾用紙器１０が額装された絵画や写真のように表現され得る。
【００４７】
図１が示す装飾用紙器１０は、典型的にはいわゆるトムソン型を用いて成形される。トムソン型の採用により、装飾用紙器１０の大量生産が可能となる。ただし、小ロット生産に対応するため、トムソン型に代えてカッティングマシーンが採用され得る。同図が示すように、装飾用紙器１０は、矩形状の基部１２を備える。この基部１２の周囲に第１周縁部１８及び第２周縁部１９が設けられ、さらに、第３周縁部２２、第４周縁部２３、対向爪部２４、３５、連結爪部２５、第５周縁部２６、第６周縁部２７及び第７周縁部２８、２９が設けられている。以下、装飾用紙器１０の構造について詳述される。
【００４８】
本実施形態では、基部１２は長方形であり、短手方向１３に延びる一対の短辺１４（特許請求の範囲に記載された「短手方向あるいは長手方向のいずれか一方に沿って対向する一対の辺」に相当）と、長手方向１５に延びる一対の長辺１６（特許請求の範囲に記載された「短手方向あるいは長手方向のいずれか他方に沿って対向する一対の辺」に相当）を有する。同図は、基部１２の裏面１７側を図示しており、当該裏面１７の反対側の面が上記表面１１（図３参照）である。
【００４９】
この基部１２の各短辺１４に上記第１周縁部１８が延設され、各長辺１６に上記第２周縁部１９が延設されている。基部１２と第１周縁部１８との境界、すなわち基部１２の短辺１４が第１折目２０を形成している。また、基部１２と第２周縁部１９との境界、すなわち基部１２の長辺１６が第２折目２１を形成している。同様に、第１周縁部１８に第３折目３０を介して第３周縁部２２が延設され、第２周縁部１９に第４折目３１を介して第４周縁部２３が延設されている。第１周縁部１８の長辺が上記第３折目３０を構成し、第２周縁部１９の長辺が上記第４折目３１を構成している。第１折目２０、第２折目２１、第３折目３０、第４折目３１は、トムソン型によってプレス加工される。
【００５０】
第３周縁部２２に第７折目３２を介して第５周縁部２６が延設され、第４周縁部２３に第８折目３３を介して第６周縁部２７が延設されている。上記第７折目３２は、第３周縁部２２の長辺により構成され、上記第８折目３３は、第４周縁部２３の長辺によって構成されている。同様に、第５周縁部２６及び第６周縁部２７に、それぞれ第９折目３４を介して第７周縁部２８、２９が延設されている。本実施形態では、第７周縁部２８が第５周縁部２６及び第６周縁部２７の双方に延設されているが、これらのいずれか一方にのみ延設されていてもよいし、第７周縁部２８が省略されてもよい。
【００５１】
図４は、装飾用紙器１０の要部拡大図である。
【００５２】
図４が示すように、第１周縁部１８の短辺３６及び第２周縁部１９の短辺３７（特許請求の範囲に記載された「隣り合う辺」に相当）に上記対向爪部２４及び対向爪部３５が延設されている。上記短辺３６は上記長手方向１５に延びる辺であり（図１参照）、上記短辺３７は上記短手方向１３に延びる辺である。両者は、互いに直交するように隣り合っている。対向爪部２４は、第１周縁部１８に第５折目３８を介して延設されており、対向爪部３５は、第２周縁部１９に第５折目３９を介して延設されている。これら第５折目３８、３９は、それぞれ上記短辺３６、３７によって構成されている。なお、上記第５折目３８、３９もトムソン型によってプレス加工される。
【００５３】
すなわち、対向爪部２４、３５は、同一の三角形状を呈する。対向爪部２４、３５は、それぞれ上記短辺３６、３７を一辺とし、且つ斜辺４０、４１が対向するように配置されている。本実施形態では、対向爪部２４、３５の角部４２、４３は面取加工が施されている。これによる作用効果については後述される。この面取加工も上記トムソン型によって行われるが、省略されてもよい。
【００５４】
図１及び図４が示すように、第３周縁部２２の短辺４４に連結爪部２５が延設されている。本実施形態では、この短辺４４は上記短手方向１３及び長手方向１５に対して傾斜している。この傾斜角度は特に限定されるものではないが、典型的には上記短手方向１３に対して４５°（ｄｅｇｒｅｅ）が採用され得る。もっとも、上記短辺４４が上記長手方向１５に沿って延びていてもよい。連結爪部２５は、第３周縁部２２に第６折目４５を介して延設されている。この第６折目４５は、それぞれ上記短辺４４の一部によって構成されている。なお、この第６折目４５もトムソン型によってプレス加工される。
【００５５】
連結爪部２５の形状は、特に限定されるものではないが、本実施形態では同図が示すような略正三角形状を呈する。すなわち、連結爪部２５の外形は、上記第６折目４５を一辺とする三角形であり、その頂点である角部４６は面取加工が施されている。本実施形態では、連結爪部２５の基端部５６、５７にも面取加工（典型的にはＣ面加工）が施されている。これら面取加工も上記トムソン型によって行われる。当該基端部５６、５７に面取加工が施されることによる作用効果については後述される。もっとも、連結爪部２５の外形形状が正三角形である必要はなく、当該連結爪部２５が延設されている方向、すなわち第６折目４５を構成する短辺４４に直交する方向（矢印５５の方向）に沿って、漸次先鋭する形状であってもよい。
【００５６】
第４周縁部２３の隅部にスリット４７（特許請求の範囲に記載された「第１スリット」に相当）が形成されている。このスリット４７は、上記トムソン型により第４周縁部２３に切り込みが入れられることにより形成される。上記連結爪部２５は、後述の要領でスリット４７に嵌め合わされ、所定の保持力で当該嵌合状態が保持されるようになっている。本実施形態では、スリット４７は、上記第３周縁部２２の短辺４４の仮想延長線上に配置されている。したがって、スリット４７は、上記短辺４４（すなわち第６折目４５）の傾斜方向に沿って延びている。スリット４７の長さは、上記第６折目４５の長さ、すなわち連結爪部２５の一辺の長さに対応しており、連結爪部２５がスリット４７に完全に挿入されるようになっている。本実施形態では前述のように、連結爪部２５の基端部５６、５７に面取加工が施されているから、連結爪部２５がスリット４７に嵌め込まれた状態で、上記基端部５６、５７が第４周縁部２３に係合する。したがって、連結爪部２５が容易にスリット４７から抜脱することがないという利点がある。もっとも、連結爪部２５の基端部５６、５７に上記面取加工が施されていなくてもよい。
【００５７】
本実施形態では、第３周縁部２２に連結爪部２５が設けられ、第４周縁部２３にスリット４７が形成されているが、これらが逆、すなわち第３周縁部２２にスリット４７が形成され、第４周縁部２３に連結爪部２５が設けられていてもよい。また、本実施形態では、連結爪部２５及びスリット４７が前述のように傾斜しているが、傾斜していなくてもよい。すなわち、第３周縁部２２の短辺４４が上記長手方向１５に沿って延び、スリット４７もこれに対応して上記長手方向１５に延びていてもよい。
【００５８】
図１及び図４が示すように、第５周縁部２６の短辺４８に保持爪部４９が延設されている。保持爪部４９は、本実施形態では台形状に形成されている。もっとも、保持爪部４９の外形は、矩形であっても半円形その他の形状であってもよい。
【００５９】
第６周縁部２７の隅部にスリット５０（特許請求の範囲に記載された「第２スリット」に相当）が形成されている。このスリット５０は、上記短手方向１３に沿って延びており、上記トムソン型により第６周縁部２７に切り込みが入れられることにより形成される。スリット５０の長さは、保持爪部４９の長さ、すなわち上記長手方向１５に沿う長さ寸法に対応しており、保持爪部４９がスリット５０に完全に挿入されるようになっている。上記保持爪部４９は、後述の要領でスリット５０に嵌め合わされ、所定の保持力で当該嵌合状態が保持されるようになっている。
【００６０】
本実施形態では、第７周縁部２９の表面（図１において表されている面の反対側の面）が接着面である。具体的には、接着テープ（不図示）が第７周縁部２９の表面に設けられている。この第７周縁部２９の表面が接着面であることによる作用効果は後述される。もっとも、当該表面が接着面でなくてもよい。
【００６１】
図１が示すように、第３周縁部２２及び第４周縁部２３の所定の位置に貫通孔５１が設けられている。貫通孔５１の形状は特に限定されるものではないが、本実施形態では、円形である。貫通孔５１の数や位置も特に限定されるものではないが、本実施形態では、各第３周縁部２２の一箇所と、一方の第４周縁部２３の二箇所に設けられている。この貫通孔５１が設けられることによる作用効果については後述される。もっとも、各貫通孔５１は省略されてもよい。
【００６２】
第６周縁部２７の所定の位置に貫通窓５２が設けられている。本実施形態では、一方の第６周縁部２７にのみ貫通窓５２が設けられている。この貫通窓５２の形状は矩形であるが、特に限定されるものではない。貫通窓５２の数や位置も特に限定されるものではないが、本実施形態では、上記貫通孔５１に隣接するように第６周縁部２７の二箇所に設けられている。この貫通窓５２が設けられることによる作用効果については後述される。もっとも、第５周縁部２６に貫通窓５２が設けられていてもよいし、各貫通窓５２が省略されてもよい。
【００６３】
本実施形態では、第５周縁部２６にスリット５３、５４（特許請求の範囲に記載された「第３スリット」に相当）が設けられている。これらスリット５３、５４も、上記トムソン型により形成される。一対のスリット５３は上記長手方向１５に沿って延び、スリット５４は上記短手方向１３に沿って延びている。スリット５４は、各スリット５３に連続しており、これにより、Ｃ字状の切り込みが形成されている。スリット５３、５４が形成されることによる作用効果は後述される。もっとも、スリット５３、５４が第６周縁部２７に形成されてもよい。また、スリット５３、５４の数や位置は特に限定されるものではなく、省略されてもよい。
【００６４】
２．装飾用紙器の組立要領と作用効果
【００６５】
この装飾用紙器１０の組立てについて説明する。図５乃至図７は、装飾用紙器１０の組み立ての要領を示す斜視図である。
【００６６】
図１及び図５が示すように、作業者は、装飾用紙器１０の裏面１７を露出させた状態で次の要領で装飾用紙器１０を折り込んでいく。すなわち、第２折目２１（基部１２の長辺１６）、第４折目３１、第８折目３３及び第９折目３４にて、第２周縁部１９、第４周縁部２３、第６周縁部２７及び第７周縁部２９を折り曲げる。このとき、第２周縁部１９は、基部１２の表面１１（図３参照）に対して山折りされ、第４周縁部２３は上記表面１１と平行になるように屈曲され、第６周縁部２７は上記裏面１７側へ屈曲され、第７周縁部２９は、上記裏面１７と対向するように屈曲される。これにより、図５が示すように、上記裏面１７の長手方向１５に沿って延びるフレーム６０が形成される。
【００６７】
このとき、第７周縁部２９に設けられた上記接着テープを介して当該第７周縁部２９が確実に基部１２の裏面１７に固定される。同図の状態において、上記スリット４７、スリット５０は、フレーム６０の外面に露出する。また、上記貫通孔５１及び貫通窓５２も同図が示す位置に露出する。
【００６８】
次に、作業者は、基部１２の短辺１４側を折り曲げる。すなわち、作業者は、第１折目２０（基部１２の短辺１４）、第３折目３０、第７折目３２及び第９折目３４にて、第１周縁部１８、第３周縁部２２、第５周縁部２６及び第７周縁部２８を折り曲げる。このとき、図６が示すように、第１周縁部１８は、基部１２の表面１１（図３参照）に対して山折りされて起立される。そうすると、上記対向爪部２４と対向爪部３５とが干渉することになるが、同時に対向爪部２４、３５が内側に山折りされる。これにより、対向爪部２４、３５同士が向かい合わせとなり、上記第５折目３８、３９が対向する。この第５折目３８、３９は、真直に形成されるから、両者間に隙間を形成することなく均等に当接する。
【００６９】
本実施形態では、第１周縁部１８及び第２周縁部１９にそれぞれ独立して対向爪部２４及び対向爪部３５が設けられているが、両者は一体的に形成されていてもよい。すなわち、図８が示すように、第１周縁部１８に対向爪部２４が延設され、且つ第２周縁部１９に対向爪部３５が延設されるが、これらの斜辺４０、４１同士が連結されていてもよい。そして、当該斜辺４０、４１の境界に折目５８が形成され、さらに、この折目５８に沿って、スリット５９が形成されていているのが好ましい。同図では、スリット５９は２箇所に形成されているが、スリット５９の数や長さは特に限定されるものではない。なお、上記折目５８及びスリット５９は、上記トムソン型によって形成される。
【００７０】
このように対向爪部２４、３５が一体化され、上記折目５８と共にスリット５９が形成されることによって、第１周縁部１８及び第２周縁部１９が前述のように山折りされることに連動して、対向爪部２４、３５が内側に簡単にあるいは自動的に折り曲がる。すなわち、対向爪部２４、３５を内側に折り曲げるという細かな作業が、容易に且つ迅速に行われるという利点がある。
【００７１】
図６及び図７が示すように、第３周縁部２２が基部１２の表面１１及び裏面１７と平行になるように屈曲されると、連結爪部２５が第４周縁部２３と隣り合い、連結爪部２５が上記スリット４７に嵌め込まれる。連結爪部２５はスリット４７に押し込まれ、しかも前述のように第４周縁部２３に係合し、一定の保持力で保持される。連結爪部２５は、第６折目４５にて折曲可能であるから、一旦第６折目４５で折り曲げられて上記スリット４７に簡単に嵌め込まれる。これにより、第３周縁部２２及び第４周縁部２３は、上記一定の保持力で互いに位置決めされ、上記対向爪部２４、３５同士は、均等な当接状態が維持される。なお、本実施形態では、第５周縁部２６に上記スリット５３、５４が形成されているので、第５周縁部２６の一部は、スリット５４を起点として図６が示すように切り起こされる。さらに、第５周縁部２６は上記裏面１７側へ屈曲され、第７周縁部２８は、上記裏面１７と対向するように屈曲される。これにより、図７が示すように、上記裏面１７の短手方向１３に沿って延びるフレーム６１が形成される。
【００７２】
このとき、第５周縁部２６に設けられた保持爪部４９が第６周縁部２７に形成されたスリット５０に嵌め合わさる。両者の嵌合状態は、所定の保持力で維持される。したがって、フレーム６０、６１の高い剛性が維持されると共に、第３周縁部２２及び第４周縁部２３がより確実に位置決めされる。その結果、対向爪部２４、３５同士の均等な当接状態は、より確実に維持される。なお、第７周縁部２８にも上記接着テープが設けられていてもよい。その場合には、接着テープを介して第７周縁部２８が確実に基部１２の裏面１７に固定される。
【００７３】
本実施形態では、上記連結爪部２５が第３周縁部２２に、上記スリット４７が第４周縁部２３に設けられているが、これらが逆に設けられていてもよい。また、上記保持爪部４９が第５周縁部２６に、上記スリット５０が第６周縁部２７に設けられているが、これらが逆に設けられていてもよい。さらに、図１が示すように基部１２が長方形に形成されているが、正方形であってもよいことは言うまでもない。
【００７４】
この装飾用紙器１０は、前述のように折曲加工されるだけで、上記フレーム６０、６１を備えた額として組み立てられ、前述のように表面１１に所要の画像が印刷されることにより、インテリア用品としての絵画が製造される。しかも、上記対向爪部２４、３５同士が均等に当接した状態が維持されるので（図７参照）、この装飾用紙器１０の隅部に大きな隙間が生じることがなく、インテリア用として完成度の高い絵画が安価に製造される。
【００７５】
本実施形態では、図４が示すように、対向爪部２４、３５は三角形であり、同一形状であるから、斜辺４０同士が対向する。つまり、対向爪部２４、３５同士がより均等に当接し、両者間に隙間が生じることがない。また、連結爪部２５が漸次先鋭する外形であるから、当該連結爪部２５をスリット４７に嵌め込む作業が簡単であるという利点がある。
【００７６】
本実施形態では、第３周縁部２２及び第４周縁部２３に対して連結爪部２５が斜めに嵌め合わされる。したがって、両者間に生じる保持力が確実に維持され、対向爪部２４、３５同士の均等な当接状態が確実に維持される。
【００７７】
本実施形態では、図１が示すように、上記貫通孔５１、貫通窓５２及びスリット５３、５４が形成されている。図７が示すように、貫通孔５１にたとえば紐等が通されることにより、装飾用紙器１０は簡単に壁等に吊り下げられる。また、上記スリット５４を起点として第５周縁部２６の一部が切り起こされるので、当該部分によって装飾用紙器１０を吊り下げるための吊下具が構成され得る。加えて、貫通孔５１、貫通窓５２及びスリット５３、５４が形成されることにより、第５周縁部２６及び第６周縁部２７の剛性が適度に低下する。これにより、装飾用紙器１０の組立作業が容易になるという利点がある。
【００７８】
本実施形態では、第７周縁部２８、２９が基部１２の裏面１７に接着固定される。これにより、上記フレーム６０、６１の剛性がより向上し、対向爪部２４、３５同士の均等な当接状態はより一層確実に維持され、この装飾用紙器１０は、インテリア用として一層完成度の高いものとなる。
【００７９】
＜第２の実施形態＞
【００８０】
図９は、本発明の第２の実施形態に係る装飾用紙器７０の要部拡大図である。
【００８１】
本実施形態に係る装飾用紙器７０が上記装飾用紙器１０と異なるところは、同図が示すように、打抜部７１が形成されている点である。なお、その他の構成については、上記装飾用紙器１０と同様である。この打抜部７１は、本実施形態では、第１周縁部１８の短辺３６と第２周縁部１９の短辺３７とが交差する点を中心として形成されている。打抜部７１の形状や大きさは、特に限定されるものではなく、角形でも丸形でもよい。なお、この打抜部７１は、上記トムソン型により形成される。打抜部７１が形成されることにより、当該打抜部７１の面積に相当する領域（特許請求の範囲に記載された「所定領域」に相当）について、第１周縁部１８、第２周縁部１９及び対向爪部２４、３５の一部が切り欠かれている。
【００８２】
上記打抜部７１が形成されることにより、対向爪部２４、３５が折り曲げられる際に、互いに干渉し合って座屈したり、第１周縁部１８や第２周縁部１９が異形に変形することが抑制され（すなわち、第１周縁部１８、第２周縁部１９に発生する応力が抑制され）、対向爪部２４、３５の屈曲作業がより簡単且つ正確なものとなる。
【００８３】
＜第３の実施形態＞
【００８４】
図１０は、本発明の第３の実施形態に係る装飾用紙器８０の要部拡大図である。
【００８５】
本実施形態に係る装飾用紙器８０が上記装飾用紙器１０と異なるところは、同図が示すように、貫通孔８１及び切り込み８２が設けられている点である。なお、その他の構成については、上記装飾用紙器１０と同様である。
【００８６】
貫通孔８１は、上記第１の実施形態に係る貫通孔５１と同様の位置に配置されているが、その内径は貫通孔５１の内径よりも小さく設定されている。上記切り込み８２は、略円弧状を呈し、貫通孔８１を囲繞している。なお、本実施形態では、切り込み８２の端部同士を接続するように折目８３が形成されている。これら貫通孔８１、切り込み８２及び折目８３は、上記トムソン型により形成される。
【００８７】
本実施形態では、切り込み８２及び折目８３によって区画される部位８４（特許請求の範囲に記載された「所定部位」に相当）が、折目８３を起点として切り起こされる。つまり、図１１が示すように、上記フレーム６０、６１が形成された状態で、上記部位８４が切り起こされ、装飾用紙器８０を吊り下げるための吊下具が形成される。
【００８８】
＜第４の実施形態＞
【００８９】
図１２は、本発明の第４の実施形態に係る装飾用紙器９０の正面図である。図１３は、装飾用紙器９０の要部拡大図である。図１４は、この装飾用紙器９０が所定の立体構造となるように後述の要領で折り曲げられ、インテリア用品として組み立てられる過程の要部拡大斜視図である。
【００９０】
本実施形態に係る装飾用紙器９０が上記装飾用紙器１０と異なるところは、対向爪部９１、９２の形状、連結爪部９３の形状、第４周縁部９４及び第５周縁部９５の形状、並びに第６周縁部９６及び第８周縁部９８の形状である（図１２及び図１３参照）。すなわち、両者の相違点は次のとおりであり、その他の構成については上記第１の実施形態に係る装飾用紙器１０と同様である。
【００９１】
第１の相違点は、上記装飾用紙器１０では、対向爪部２４、３５は、それぞれ、第１周縁部１８及び第２周縁部１９に延設されているのに対し（図１及び図４参照）、本実施形態に係る装飾用紙器９０では、図１２、図１３が示すように、対向爪部９１、９２が第１０折目９９を介して連続しており、単一の鏃状に形成されている点である。
【００９２】
第２の相違点は、上記装飾用紙器１０では、連結爪部２５が略正三角形を呈するのに対し（図４参照）、本実施形態に係る装飾用紙器９０では、図１３が示すように、連結爪部９３は、第３周縁部２２から長手方向１５（図４においては右側）に突出する鍵状を呈する点である。
【００９３】
第３の相違点は、上記装飾用紙器１０では、第４周縁部２３は細長矩形に形成されているのに対して（図１及び図４参照）、本実施形態に係る第４周縁部９４は、図１２、図１３が示すように、長手方向１５の両端部に対して斜め方向に（図１３においては短手方向１３斜め下側に向かって）延びる台形片１００が、第１１折目１０１を介して延設されている点、及び当該第１１折目１０１の中央部にスリット１０２（特許請求の範囲に記載された「第１スリット」に相当）が設けられている点である。このスリット１０２は、上記装飾用紙器１０に設けられたスリット４７（図４参照）に対応しているが、第１１折目１０１の中央部に沿って設けられている。
【００９４】
第４の相違点は、上記装飾用紙器１０では、第５周縁部２６に保持爪部４９が形成されているのに対して（図１及び図４参照）、本実施形態に係る第５周縁部９５に上記保持爪部４９が形成されておらず、第５周縁部９５は、細長矩形状を呈する点である。
【００９５】
第５の相違点は、前述のように第４周縁部９４及び第５周縁部９５の形状が変更されることに伴うものであり、第６周縁部９６及び第８周縁部９８の形状が変更されている（図１及び図１２参照）。なお、この第５の相違点は省略されてもよい。
【００９６】
図１３が示すように、対向爪部９１、９２は、それぞれが三角形状を呈し、第１０折目９９を境にして連続している。この第１０折目９９もトムソン型によってプレス加工される。したがって、対向爪部９１、９２は、第１０折目９９及び上記第５折目３８、３９を境界にして内側に折り込まれるようになっている。
【００９７】
連結爪部９３は、第３周縁部２２の短辺４４に連続しており、短帯状に長手方向１５に延びている。連結爪部９３の外形形状は特に限定されるものではなく、長手方向１５の外方に向かって漸次先鋭する三角形状その他の形状であってもよい。連結爪部９３の上記短辺４４に沿う長さＡは、上記スリット１０２の長さＢと略一致されている。連結爪部９３の長手方向１５に沿う寸法Ｃは、本実施形態では２５ｍｍに設定されているが、特に限定されるものではない。連結爪部９３の角部１０３、１０５は、面取加工が施されており、本実施形態ではいわゆるＲ面が形成されている。もっとも、この面取加工は省略され得る。連結爪部９３の基端部、すなわち上記短辺４４との境界部で且つ上記第５周縁部９５に隣接する側に切込部１０４が設けられている。この切込部１０４は、上記短辺４４に沿って連結爪部９３を切り込むように形成されている。
【００９８】
第４周縁部９４は、上記台形片１００を備えている（図１３参照）。この台形片１００は、上記第１１折目１０１を境にして連続している。この第１１折目１０１もトムソン型によってプレス加工される。台形片１００は、第１１折目１０１を境界にして折り込まれるようになっている。なお、第１１折目１０１及びスリット１０２は、上記第１の実施形態と同様に、第３周縁部２２の短辺４４に沿って（すなわち、第６折目４５に沿って）延びている。台形片１００が、後述のように折り込まれることにより、上記スリット１０２が上記連結爪部９３と対向し、互いに接近して当該連結爪部９３が当該スリット１０２に挿入するようになっている。
【００９９】
図１２が示すように、第４周縁部９４に上記台形片１００が設けられることにより、装飾用紙器９０の組み立ての要領を考慮して、第６周縁部９６の両端部１０６は三角形状に形成され、第８周縁部９８は、台形状に形成されている。ただし、第６周縁部９６及び第８周縁部９８の形状は特に限定されるものではなく、上記第１の実施形態と同様の形状であってもよい。
【０１００】
装飾用紙器９０の組立要領は次のとおりである。
【０１０１】
上記第１の実施形態に係る装飾用紙器１０と同様に、作業者は、装飾用紙器９０の裏面１７を露出させた状態で（図１２参照）、第２折目２１（基部１２の長辺１６）、第４折目３１、第８折目３３及び第９折目３４にて、第２周縁部１９、第４周縁部９４、第６周縁部９６及び第８周縁部９８を折り曲げる。このとき、第２周縁部１９は、基部１２の表面１１（図３参照）に対して山折りされ、第４周縁部９４は上記表面１１と平行になるように屈曲され、第６周縁部９６は上記裏面１７側へ屈曲され、第８周縁部９８は、上記裏面１７と対向するように屈曲される。このとき、第８周縁部９８は、接着テープ等を介して基部１２の裏面１７に固定されるのが好ましい。
【０１０２】
上記折曲作業と共に作業者は、基部１２の短辺１４側も折り曲げる（図１２参照）。すなわち、作業者は、第１折目２０（基部１２の短辺１４）、第３折目３０、第７折目３２及び第９折目３４にて、第１周縁部１８、第３周縁部２２、第５周縁部９５及び第７周縁部２８を折り曲げる。このとき、第１周縁部１８は、基部１２の表面１１（図３参照）に対して山折りされて起立される。そうすると、上記対向爪部９１、９２は、第１０折目９９（図１３参照）を境にして内側に屈曲されると共に第５折目３９、３９にて上記裏面１７側に折り曲げられ、当該第５折目３８、３９が対向する。この第５折目３８、３９は、真直に形成されるから、両者間に隙間を形成することなく均等に当接する。
【０１０３】
第３周縁部２２は、上記表面１１と平行になるように屈曲され、第５周縁部９５は、上記裏面１７側へ屈曲され、第７周縁部２８は、上記裏面１７と対向するように屈曲される。この第７周縁部２８は、接着テープ等を介して基部１２の裏面１７に固定されるのが好ましい。なお、第５周縁部９５の中央部は、スリット５３、５４によって切り起こされた部位１０７（図１５参照）が上記裏面１７と対向する。この部位１０７も接着テープ等を介して基部１２の裏面１７に固定されるのが好ましい。
【０１０４】
これにより、上記第１の実施形態に係る装飾用紙器１０と同様のフレーム６０、６１が形成される（図６、図７参照）。ただし、本実施形態では、図１５が示すように、第７周縁部２８、第８周縁部９８及び上記部位１０７が上記裏面１７に接着された状態で、上記フレーム６０、６１が外側に倒伏されていてもよい。そして、当該図１５が示す態様にて製品としての装飾用紙器９０が出荷されてもよい。
【０１０５】
さて、図１５が示す状態から装飾用紙器９０のフレーム６０、６１が内側に起立されることにより、対向爪部９１、９２同士が対向して内側に折り曲げられ、台形片１００が連結爪部９３の下側で且つフレーム６１の内側へ挿入される。同時に、連結爪部９３及びスリット１０２は、フレーム６０、６１の起立動作に合わせて互いに接近し、連結爪部９３は、特に屈曲や湾曲等の変形を要することなくそのままスリット１０２に挿入される。
【０１０６】
図１４が示すように、連結爪部９３がスリット１０２に挿入されると、連結爪部９３の上記寸法Ａがスリット１０２の上記寸法Ｂに対応しているので、連結爪部９３は、スリット１０２に対してがたつきを生じさせることなく嵌め合わされる。しかも、連結爪部９３の角部１０３、１０５が面取加工されているので、連結爪部９３は、円滑にスリット１０２に挿入される。さらに、連結爪部９３は上記切込部１０４を備えているから、連結爪部９３がスリット１０２に挿入された状態で、上記切込部１０４がスリット１０２の端部から第１１折目１０１に食い込む。これにより、スリット１０２に挿入された連結爪部９３の抜脱が防止され、フレーム６０とフレーム６１との当接状態は、一定の保持力により確実に維持される。加えて、本実施形態では、上記第１の実施形態に係る保持爪部４９が設けられていないので、装飾用紙器９０の組み立ては、上記フレーム６０、６１の起立動作のみである。したがって、装飾用紙器９０が簡単に組み立てられることに加えて、一旦組み立てられた後は、当該立体構造が一定の保持力によって確実に維持される。
【０１０７】
＜第５の実施形態＞
【０１０８】
図１６は、本発明の第５の実施形態に係る装飾用紙器１１０の正面図である。図１７は、装飾用紙器１１０の要部拡大図である。図１８〜図２０は、この装飾用紙器１１０が所定の立体構造となるように後述の要領で折り曲げられ、インテリア用品として組み立てられる過程の要部拡大斜視図である。
【０１０９】
本実施形態に係る装飾用紙器１１０が上記装飾用紙器１０と異なるところは、上記装飾用紙器１０では（図１及び図４参照）、第３周縁部２２に形成された連結爪部２５が第４周縁部２３に設けられたスリット４７に挿入され、且つ第５周縁部２６に形成された保持爪部４９が第６周縁部２７に設けられたスリット５０に挿入されるように構成されているのに対して、本実施形態に係る装飾用紙器１１０では、図１６及び図１７が示すように、上記保持爪部４９及びスリット５０が省略されている点（相違点１）、及び第５周縁部２６に固定爪部１１２が形成されると共に（相違点２）、第４周縁部２３及び第６周縁部２７に跨がってスリット１１３が設けられている点（相違点３）、第６周縁部２７の端部にフラップ１２８が延設されている点（相違点４）であり、上記スリット１１３に上記固定爪部１１２が挿入されるようになっている。その他の構成については、上記装飾用紙器１０と同様である。
【０１１０】
図１６及び図１７が示すように、第５周縁部２６の短辺４８に固定爪部１１２が形成されている。この固定爪部１１２は、上記装飾用紙器１０と同様に一対の第５周縁部２６のそれぞれの一対の短辺４８に形成されており、各固定爪部１１２の形状は同様である。
【０１１１】
具体的には、固定爪部１１２は、上記短辺４８に延設され、当該第５周縁部２６の幅方向１１４（長手方向１５）に延びる部材である。本実施形態では、固定爪部１１２は矩形状を呈し、その長さ寸法１１６は第５周縁部２６の幅と一致している。もっとも、この長さ寸法１１６が第５周縁部２６の幅寸法と異なっていてもよい。固定爪部１１２の長さ寸法１１６は、本実施形態では１８ｍｍに設定され、幅寸法１１５は１５ｍｍに設定されているが、これらは適宜設計変更され得る。
【０１１２】
固定爪部１１２と第５周縁部２６との境界に面取部１１７が形成されている。この面取部１１７は、固定爪部１１２の一部が斜めにカットされることにより形成されており、いわゆるＣ面が構成されている。この面取部１１７に連続してスリット１１８が形成されている。このスリット１１８は、面取部１１７から固定爪部１１２の長さ方向１１６の方向に沿って延びている。本実施形態では、スリット１１８の長さが５ｍｍに設定されているが、この長さは特に限定されるものではない。また、固定爪部１１２の外端部１１９にも面取加工が施されている。本実施形態では、この外端部１１９にいわゆるＲ面が形成されている。もっとも、このＲ面に代えてＣ面が形成されていてもよいし、当該面取加工が省略されてもよい。なお、上記面取部１１７及びスリット１１８の形成並びに上記面取加工は、上記装飾用紙器１０と同様にトムソン型によって行われる。
【０１１３】
図１６及び図１７が示すように、上記スリット１１３は、第４周縁部２３及び第６周縁部２７に跨がって形成されており、上記短手方向１３に沿って真直に延びている。スリット１１３は、上記長手方向１５に所定の間隔１２０を空けて配置されている。スリット１１３は、第４周縁部２３及び第６周縁部２７が切り込まれることにより形成されている。このスリット１１３はトムソン型によって形成される。スリット１１３の長さ１２１は、上記固定爪部１１２の幅寸法１１５に対応しており、本実施形態ではたとえば２３ｍｍに設定されている。スリット１１３に連続して切欠部１２２（特許請求の範囲に記載された「挿入口」に相当）が設けられている。この切欠部１２２は、同図が示すように台形状を呈する。
【０１１４】
装飾用紙器１１０が後述のように組み立てられる際に（図１８〜図２０参照）、スリット１１３は、直交する二面（第４周縁部２３及び第６周縁部２７に相当する面）に渡って立体的に形成される。上記切欠部１２２が設けられることにより、スリット１１３が形成された部分に窓が構成される。スリット１１３の長さ１２１は特に限定されるものではないが、固定爪部１１２が挿入するために十分な寸法に設定される。また、上記切欠部１２２の形状は台形に限定されるものではなく、固定爪部１１２が挿通される窓が形成されていればよい。もっとも、切欠部１２２が省略されてもよい。
【０１１５】
装飾用紙器１１０は、次の要領で組み立てられる。なお、前述のように、装飾用紙器１１０が装飾用紙器１０と異なるところは上記相違点１〜相違点４のみであるから、装飾用紙器１１０の組立要領については、装飾用紙器１０の組み立てに関する図１乃至図７も参照されつつ説明される。
【０１１６】
図１６及び図１８が示すように、作業者は、装飾用紙器１１０の裏面１７を露出させた状態で装飾用紙器１１０を折り込んでいく。すなわち、第２折目２１（基部１２の長辺１６）、第４折目３１、第８折目３３及び第９折目３４にて、第２周縁部１９、第４周縁部２３、第６周縁部２７及び第７周縁部２９を折り曲げる。このとき、第２周縁部１９は、基部１２の表面１１（図３参照）に対して山折りされ、第４周縁部２３は上記表面１１と平行になるように屈曲され、第６周縁部２７は上記裏面１７側へ屈曲され、第７周縁部２９は、上記裏面１７と対向するように屈曲される。これにより、図１８が示すように、上記裏面１７の長手方向１５に沿って延びるフレーム１２３が形成される。
【０１１７】
このとき、第７周縁部２９に設けられた上記接着テープを介して当該第７周縁部２９が確実に基部１２の裏面１７に固定される。この状態において、上記スリット１１３は、フレーム１２３の直交する２つの面１２４（第４周縁部２３に相当）、面１２５（第６周縁部２７に相当）に渡って立体的に形成され、フレーム１２３の外面に露出する。スリット１１３に上記切欠部１２２が連続しているから、当該部分に窓１２６が形成される。
【０１１８】
次に、作業者は、基部１２の短辺１４側を折り曲げる。すなわち、作業者は、第１折目２０（基部１２の短辺１４）、第３折目３０、第７折目３２及び第９折目３４にて、第１周縁部１８、第３周縁部２２、第５周縁部２６及び第７周縁部２８を折り曲げる。このとき、上記フラップ１２８が内側に折り込まれる。図１８及び図１９が示すように、第１周縁部１８は、基部１２の表面１１（図３参照）に対して山折りされて起立される。そうすると、上記対向爪部２４と対向爪部３５とが干渉することになるが、同時に対向爪部２４、３５が内側に山折りされる。これにより、対向爪部２４、３５同士が向かい合わせとなり（図１８参照）、上記第５折目３８、３９（図１７参照）が対向する。この第５折目３８、３９は、真直に形成されるから、両者間は隙間が形成することなく均等に当接する。対向爪部２４、３５同士が対向した状態で上記フラップ１２８と重ね合わされる。これにより、フレーム１２３の剛性が向上する。もっとも、フラップ１２８は省略されてもよい。
【０１１９】
次に、図１８及び図１９が示すように、第３周縁部２２が基部１２の表面１１及び裏面１７と平行になるように屈曲され、第５周縁部２６が裏面１７側へ屈曲され、第７周縁部２８が上記裏面１７と対向するように屈曲される。これにより、図１９及び図２０が示すように、上記裏面１７の短手方向１３に沿って延びるフレーム１２７が形成される。このとき、図１９が示すように、固定爪部１１２がスリット１１３と向き合い、固定爪部１１２は、スリット１１３に簡単に嵌め込まれる。すなわち、第３周縁部２２、第５周縁部２６及び第７周縁部２８が折り曲げられていく一連の動作において、固定爪部１１２がスリット１１３に簡単に差し込まれる。
【０１２０】
前述のように、スリット１１３は、第４周縁部２３及び第６周縁部２７に跨がって立体的に形成されるから、このスリット１１３に固定爪部１１２が挿入されると、固定爪部１１２のスリット１１８が上記スリット１１３に食い込んで、固定爪部１１２がスリット１１３に確実に係合する。したがって、上記フレーム１２３に対して上記フレーム１２７が一定の保持力で確実に位置決めされる。なお、第７周縁部２８にも上記接着テープが設けられていてもよい。その場合には、接着テープを介して第７周縁部２８が確実に基部１２の裏面１７に固定される。
【０１２１】
本実施形態では、上記スリット１１３に切欠部１２２が連続して上記窓１２６（図１８参照）が形成されている。これにより、固定爪部１１２がスリット１１３に自然にきわめて簡単に挿入され、装飾用紙器１１０の組立作業がより簡単になる。
【０１２２】
本実施形態では、固定爪部１１２が第５周縁部２６の短辺４８に設けられ、スリット１１３が第４周縁部２３及び第６周縁部２７に形成されているが、固定爪部１１２が第６周縁部２７に設けられ、スリット１１３が第３周縁部２２及び第５周縁部２６に形成されていてもよい。また、本実施形態では、固定爪部１１２は図１６が示すように矩形状を呈するが、固定爪部１１２の外形形状は特に限定されるものではない。
【符号の説明】
【０１２３】
１０・・・装飾用紙器
１１・・・表面
１２・・・基部
１３・・・短手方向
１４・・・短辺
１５・・・長手方向
１６・・・長辺
１７・・・裏面
１８・・・第１周縁部
１９・・・第２周縁部
２０・・・第１折目
２１・・・第２折目
２２・・・第３周縁部
２３・・・第４周縁部
２４・・・対向爪部
２５・・・連結爪部
２６・・・第５周縁部
２７・・・第６周縁部
２８・・・第７周縁部
２９・・・第７周縁部
３０・・・第３折目
３１・・・第４折目
３２・・・第７折目
３３・・・第８折目
３４・・・第９折目
３５・・・対向爪部
３６・・・短辺
３７・・・短辺
３８・・・第５折目
３９・・・第５折目
４０・・・斜辺
４１・・・斜辺
４４・・・短辺
４５・・・第６折目
４７・・・スリット
４８・・・短辺
４９・・・保持爪部
５０・・・スリット
５１・・・貫通孔
５２・・・貫通窓
５３・・・スリット
５４・・・スリット
７０・・・装飾用紙器
７１・・・打抜部
８０・・・装飾用紙器
８１・・・貫通孔
８３・・・折目
８４・・・部位
９０・・・装飾用紙器
９１・・・対向爪部
９２・・・対向爪部
９３・・・連結爪部
９４・・・第４周縁部
９５・・・第５周縁部
９６・・・第６周縁部
９８・・・第８周縁部
９９・・・第１０折目
１００・・・台形片
１０１・・・第１１折目
１０２・・・スリット
１０４・・・切込部
１１０・・・装飾用紙器
１１２・・・固定爪部
１１３・・・スリット
１１７・・・面取部
１１８・・・スリット
１２２・・・切欠部
１２４・・・面
１２５・・・面
【図１】
2020168351.tif 000003
【図２】
2020168351.tif 000004
【図３】
2020168351.tif 000005
【図４】
2020168351.tif 000006
【図５】
2020168351.tif 000007
【図６】
2020168351.tif 000008
【図７】
2020168351.tif 000009
【図８】
2020168351.tif 000010
【図９】
2020168351.tif 000011
【図１０】
2020168351.tif 000012
【図１１】
2020168351.tif 000013
【図１２】
2020168351.tif 000014
【図１３】
2020168351.tif 000015
【図１４】
2020168351.tif 000016
【図１５】
2020168351.tif 000017
【図１６】
2020168351.tif 000018
【図１７】
2020168351.tif 000019
【図１８】
2020168351.tif 000020
【図１９】
2020168351.tif 000021
【図２０】
2020168351.tif 000022